【手続補正書】
【提出日】平成26年9月4日(2014.9.4)
【手続補正１】
【補正対象書類名】明細書
【補正対象項目名】０００９
【補正方法】変更
【補正の内容】
【０００９】
前記課題を解決するため、本発明の撮影条件取得装置においては、所定の撮影画像に付加されている撮影条件情報を取得する取得手段と、現在の撮影状況を示す撮影状況情報を検出する検出手段と、前記取得手段により取得された撮影条件情報を、前記検出手段により検出された撮影状況情報に応じて補正し、補正後の撮影条件情報を現在の撮影状況での被写体の撮影に際して使用する撮影条件情報として取得する撮影条件取得手段とを備えることを特徴とする。
また、前記課題を解決するため、本発明の撮像装置においては、被写体を撮像する撮像手段と、所定の撮影画像に付加されている撮影条件情報を取得する取得手段と、現在の撮影状況を示す撮影状況情報を検出する検出手段と、前記取得手段により取得された撮影条件情報を、前記検出手段により検出された撮影状況情報に応じて補正し、補正後の撮影条件情報を現在の撮影状況での被写体の撮影に際して使用する撮影条件情報として取得する撮影条件取得手段と、前記撮像手段が被写体を撮像する撮影時の撮影条件を前記撮影条件取得手段により取得された撮影条件情報に従い設定する設定手段とを備えることを特徴とする。
【手続補正２】
【補正対象書類名】特許請求の範囲
【補正対象項目名】全文
【補正方法】変更
【補正の内容】
【特許請求の範囲】
【請求項１】
所定の撮影画像に付加されている撮影条件情報を取得する取得手段と、
現在の撮影状況を示す撮影状況情報を検出する検出手段と、
前記取得手段により取得された撮影条件情報を、前記検出手段により検出された撮影状況情報に応じて補正し、補正後の撮影条件情報を現在の撮影状況での被写体の撮影に際して使用する撮影条件情報として取得する撮影条件取得手段と
を備えることを特徴とする撮影条件取得装置。
【請求項２】
前記撮影条件取得手段は、前記取得手段により取得された撮影条件情報の補正に際し、当該撮影条件情報における補正候補となる種類の撮影条件情報が複数の場合、必要に応じて予め決められている優先順位がより高い種類の撮影条件情報から順に補正することを特徴とする請求項１記載の撮影条件取得装置。
【請求項３】
前記撮影条件取得手段は、
前記所定の撮影画像の撮影時の撮影状況を、前記取得手段により取得された撮影条件情報に基づき推測する推測手段と、
前記推測手段により推測された撮影状況と前記検出手段により検出された撮影状況情報により示される現在の撮影状況との間における第一の差異を特定する第一の特定手段と
を含み、
前記取得手段により取得された撮影条件情報を、前記第一の特定手段により特定された第一の差異に基づき補正し、補正後の撮影条件情報を現在の撮影状況での被写体の撮影に使用する撮影条件情報として取得する
ことを特徴とする請求項１又は２記載の撮影条件取得装置。
【請求項４】
前記取得手段は、前記所定の撮影画像に、当該所定の撮影画像の撮影時の撮影状況を示す撮影状況情報が付加されている場合に、当該撮影状況情報を更に取得し、
前記撮影条件取得手段は、
前記取得手段により取得された撮影状況情報により示される撮影状況と前記検出手段により検出された撮影状況情報により示される現在の撮影状況との間における第二の差異を特定する第二の特定手段と、
前記推測手段により推測された撮影状況と前記取得手段により取得された撮影状況情報により示される撮影状況との間における第三の差異を特定する第三の特定手段と、
前記所定の撮影画像に、当該所定の撮影画像の撮影時の撮影状況を示す撮影状況情報が付加されている場合に、前記取得手段により取得された撮影条件情報を、前記第二の特定手段により特定した第二の差異及び前記第三の特定手段により特定した第三の差異に基づき補正し、補正後の撮影条件情報を現在の撮影状況での被写体の撮影に使用する撮影条件情報として取得する第一の補正取得手段と、
前記所定の撮影画像に、当該所定の撮影画像の撮影時の撮影状況を示す撮影状況情報が付加されていない場合に、前記取得手段により取得された撮影条件情報を、前記第一の特定手段により特定された第一の差異に基づき補正し、補正後の撮影条件情報を現在の撮影状況での被写体の撮影に使用する撮影条件情報として取得する第二の補正取得手段と
を更に含む
ことを特徴とする請求項３記載の撮影条件取得装置。
【請求項５】
前記取得手段は、前記所定の撮影画像に付加されている撮影状況情報を更に取得し、
前記撮影条件取得手段は、
前記所定の撮影画像の撮影時の撮影状況を、前記取得手段により取得された撮影条件情報に基づき推測する推測手段と、
前記取得手段により取得された撮影状況情報により示される撮影状況と前記検出手段により検出された撮影状況情報により示される現在の撮影状況との間における第二の差異を特定する第二の特定手段と、
前記推測手段により推測された撮影状況と前記取得手段により取得された撮影状況情報により示される撮影状況との間における第三の差異を特定する第三の特定手段と
を含み、
前記取得手段により取得された撮影条件情報を、前記第二の特定手段により特定した第二の差異及び前記第三の特定手段により特定した第三の差異に基づき補正し、補正後の撮影条件情報を現在の撮影状況での被写体の撮影に使用する撮影条件情報として取得する
ことを特徴とする請求項１又は２記載の撮影条件取得装置。
【請求項６】
前記検出手段は、現在の撮影状況を示す撮影状況情報として、被写体の照度、天気、屋内又は屋外の別の少なくともいずれか１つを示す撮影状況情報を検出することを特徴とする請求項１乃至５いずれか記載の撮影条件取得装置。
【請求項７】
既存する複数の撮影画像から任意の撮影画像を使用者に選択させる第一の選択制御手段を更に備え、
前記取得手段は、前記第一の選択制御手段が使用者に選択させた撮影画像に付加されている撮影条件情報を取得することを特徴とする請求項１乃至６いずれか記載の撮影条件取得装置。
【請求項８】
前記取得手段により取得された撮影条件情報のうちで現在の撮影状況での被写体の撮影に際し流用すべき種類の撮影条件を使用者に選択させる第二の選択制御手段をさらに備え、
前記撮影条件取得手段は、前記取得手段により取得された撮影条件情報の補正に際し、第二の選択制御手段が使用者に選択させた種類の撮影条件を補正の対象から除外することを特徴とする請求項７記載の撮影条件取得装置。
【請求項９】
前記第一の選択制御手段は、既存する複数の撮影画像であって、前記撮影条件取得手段により取得された撮影条件情報を被写体の撮影に際して使用する撮影装置に保存されている複数の撮影画像から任意の撮影画像を使用者に選択させることを特徴とする請求項７又は８記載の撮影条件取得装置。
【請求項１０】
前記第一の選択制御手段は、既存する複数の撮影画像であって、前記撮影条件取得手段により取得された撮影条件情報を被写体の撮影に際して使用する撮影装置以外の他の装置に保存されている複数の撮影画像から任意の撮影画像を使用者に選択させることを特徴とする請求項７又は８記載の撮影条件取得装置。
【請求項１１】
前記撮影条件取得手段により取得された撮影条件情報を再利用可能に保存する保存手段を更に備えることを特徴とする請求項１乃至１０いずれか記載の撮影条件取得装置。
【請求項１２】
前記取得手段により取得された撮影条件情報と前記撮影条件取得手段により取得された撮影条件情報との差異を識別可能に表示する表示手段を更に備えることを特徴とする請求項１乃至１１いずれか記載の撮影条件取得装置。
【請求項１３】
所定の撮影画像に付加されている撮影条件情報を取得する処理と、
現在の撮影状況を示す撮影状況情報を検出する処理と、
前記取得した撮影条件情報を、前記検出した撮影状況情報に応じて補正し、補正後の撮影条件情報を現在の撮影状況での被写体の撮影に際して使用する撮影条件情報として取得する処理と
を含むことを特徴とする撮影条件取得方法。
【請求項１４】
コンピュータに、
所定の撮影画像に付加されている撮影条件情報を取得する機能と、
所定の検出手段によって現在の撮影状況を示す撮影状況情報を検出する機能と、
前記取得した撮影条件情報を、前記検出した撮影状況情報に応じて補正し、補正後の撮影条件情報を現在の撮影状況での被写体の撮影に際して使用する撮影条件情報として取得する機能と
を実現させることを特徴とするプログラム。
【請求項１５】
被写体を撮像する撮像手段と、
所定の撮影画像に付加されている撮影条件情報を取得する取得手段と、
現在の撮影状況を示す撮影状況情報を検出する検出手段と、
前記取得手段により取得された撮影条件情報を、前記検出手段により検出された撮影状況情報に応じて補正し、補正後の撮影条件情報を現在の撮影状況での被写体の撮影に際して使用する撮影条件情報として取得する撮影条件取得手段と、
前記撮像手段が被写体を撮像する撮影時の撮影条件を前記撮影条件取得手段により取得された撮影条件情報に従い設定する設定手段と
を備えることを特徴とする撮像装置。